(57)【要約】  本発明は静電圧を利用した電気浸透脱水機の電源遮断装置であって、電気浸透脱水機に印加された静電圧が整流器を通って入力される入力部と、入力される整流器の出力電圧値をフィルタリングするフィルタ部と、フィルタ部を通った電圧値を増幅させる増幅器と、設定電圧値を入力されて増幅された電圧値と比較する比較機と、比較値に応じて整流器の動作感度を調節する遅延回路部と、増幅された電圧値が設定電圧値より小さければ整流器を停止させる信号を出力する出力部と、を含む。本発明によると、微細な短絡までエラーなく感知し電源を遮断することができるため卓越した信頼性が得られ、電気浸透脱水機以外の環境設備などにも適用可能であるため設備を安全に保護する効果がある。
2015525556.tif 000002
【特許請求の範囲】
【請求項１】
整流器出力電圧値である電気浸透脱水機に印加された静電圧が入力される入力部と、
前記入力される整流器の出力電圧値をフィルタリングするフィルタ部と、
前記フィルタ部を通った電圧値を増幅させる増幅器と、
設定電圧値を入力され、前記増幅された電圧値と比較する比較機と、
前記比較値に応じて、瞬間的な短絡信号に電源が遮断されるのではなく設定時間の間持続される短絡に電源が遮断されるように前記整流器の動作を調節する遅延回路部と、
前記増幅された電圧値が前記設定電圧値より小さい場合、整流器を停止させる信号を出力する出力部と、を含むことを特徴とする静電圧を利用した電気浸透脱水機の電源遮断装置。
【請求項２】
前記設定電圧値は、
ユーザは任意に設定してもよく、
前記静電圧と１〜２Ｖの差をおいて設定することを特徴とする請求項１に記載の静電圧を利用した電気浸透脱水機の電源遮断装置。
【発明の詳細な説明】
【技術分野】
【０００１】
本発明は電源遮断装置に関するものであって、更に詳しくは、静電圧を利用した電気浸透脱水機の電源遮断装置に関するものである。
【背景技術】
【０００２】
一般に、電気浸透脱水機とはスラッジと結合した水を電気泳動性で除去するための電場を形成するために直流電源が印加され、その電圧差によってスラッジの含水を脱水させる装置である。
【０００３】
このような電気泳動式電気浸透脱水機は「電気浸透脱水機（特許文献１）」、「位相制御型電気脱水機（特許文献２）」、「電気浸透脱水機（特許文献３）」、「三相交流電源を利用した位相制御型電気泳動式電気浸透脱水機（特許文献４）」などに記載されて周知されているように、その構造は大きく正極（＋）又は負極（−）が印加されたドラム、ドラムと一定空間部をおいて設置されて全体に負極（−）又は正極（＋）が印加されたキャタピラ、ドラムとキャタピラとの間にスラッジの移送及び脱水のために巻き取られたろ布ベルトなどで構成される。
【０００４】
ところで、このような電気浸透脱水機は３００Ａ以上の電流で加圧する装置であって、伝導性物質によって短絡が発生するか上下電極板の一部がくっついた場合には５０Ａ以下でも火災が発生するか電極板が損傷する恐れがある。
【０００５】
このような問題を解決するための装備として、一般に普及されている電源遮断装置はその速度が３０ｍ／ｓｅｃで実際に短絡が発生すると電源を遮断する速度が遅いという問題点がある。このような遅延された遮断によって装備の損傷が発生し、それによる損失が大きいという問題点がある。例えば、電気浸透脱水機の正極と負極短絡が発生する場合大きな穴が生じるという問題点がある。
【０００６】
一方、電気浸透脱水機は静電圧方式を採用しているが、電圧は一定で負荷の量に応じて電流が上昇又は下降する方式で作動される。電流を利用した遮断装置が研究され一部使用されているが、短絡の際増加する電流の量より実際作業中の電流の量が大きく、それを負荷と認識して遮断がうまく行われないという問題点がある。従来技術として、静電流を利用した電源遮断装置が「電気脱水機の電源遮断制御方法（特許文献５）」に開示されている。
【０００７】
しかし、このような従来技術による電源遮断装置は、上述したように電流を比較して電源を遮断するため損失が発生した後に遮断が行われるという問題点がある。そして、短絡ではなく負荷が多くても電流が上がるが、それを短絡と判断して電源を遮断するという問題点がある。
【先行技術文献】
【特許文献】
【０００８】
【特許文献１】出願番号１０−２００４−７７５９号
【特許文献２】出願番号１０−２００５−９９２８号
【特許文献３】出願番号１０−２００７−４６４９４号
【特許文献４】出願番号１０−２００８−４４９０１号
【特許文献５】登録特許第０９４６２６１号
【発明の概要】
【発明が解決しようとする課題】
【０００９】
本発明は上述したような問題点を解決するために提案されたものであって、その目的は、電流ではなく電圧を比較して電源を遮断する静電圧を利用した電気浸透脱水機の電源遮断装置を提供することにある。
【００１０】
本発明の他の目的は、損失が発生する前に電源を遮断する静電圧を利用した電気浸透脱水機の電源遮断装置を提供することにある。
【００１１】
本発明のまた他の目的は、短絡が発生すると一時的に電圧が落ちる現象を利用し、瞬間的に短絡を感知して電源を遮断する静電圧を利用した電気浸透脱水機の電源遮断装置を提供することにある。
【００１２】
本発明の更に他の目的は、設定電圧値と作業中の電圧値との差を小さく設定して敏感に作動する静電圧を利用した電気浸透脱水機の電源遮断装置を提供することにある。
【課題を解決するための手段】
【００１３】
前記のような目的を達成するための本発明による静電圧を利用した電気浸透脱水機の電源遮断装置は、電気浸透脱水機に印加された静電圧が整流器を通って入力される入力部と、前記入力される整流器の出力電圧値をフィルタリングするフィルタ部と、前記フィルタ部を通った電圧値を増幅させる増幅器と、設定電圧値を入力されて前記増幅された電圧値と比較する比較機と、前記比較値に応じて前記整流器の動作感度を調節する遅延回路部と、前記増幅された電圧値が前記設定電圧値より小さければ整流器を停止させる信号を出力する出力部と、を含む。
【００１４】
そして、本発明による静電圧を利用した電気浸透脱水機の電源遮断装置の前記設定電圧値はユーザが任意に設定してもよく、前記静電圧と１〜２Ｖの差をおいて設定することにその特徴がある。
【発明の効果】
【００１５】
本発明は微細な短絡までエラーなく感知して電源を遮断することができるため卓越した信頼性が得られる効果がある。即ち、設定電圧値を増幅された電圧値と１〜２Ｖ程度に設定して敏感に作動させることで、短絡によって一時的に電圧が落ちる現象を瞬間的に感知して電源を遮断する効果がある。
【００１６】
そして、電気浸透脱水機以外の環境設備などＤＣ電圧を利用する殆どの装備に活用することができ、そのような環境設備にいかなる異物が混入されても設備を安全に保護する効果もある。
【００１７】
本発明は添付した図面に示した実施例を参照して説明されるが、これは例示的なものであって、該当分野の通常の知識を有する者であればそれから多様な変形及び均等な実施例が可能であるということを理解できるはずである。よって、本発明の真の保護範囲は添付した特許請求の範囲によってのみ決められるべきである。
【図面の簡単な説明】
【００１８】
【図１】本発明による静電圧を利用した電気浸透脱水機の電源遮断装置を示すブロック図である。
【図２】本発明による静電圧を利用した電気浸透脱水機の電源遮断装置の回路図である。
【発明を実施するための形態】
【００１９】
以下、本発明の好ましい実施例による静電圧を利用した電気浸透脱水機の電源遮断装置を添付した図面に基づいて詳細に説明する。図１は、本発明による静電圧を利用した電気浸透脱水機の電源遮断装置を示すブロック図である。
【００２０】
図１を参照すると、本発明による静電圧を利用し電気浸透脱水機の電源遮断装置１００は入力部１０、フィルタ部２０、増幅器３０、比較機４０、遅延回路部５０及び出力部６０で構成される。
【００２１】
入力部１０は、電気浸透脱水機に印加された静電圧が整流器を通って入力される部分である。本実施例による電気浸透脱水機には静電圧が印加される。印加された静電圧は整流器を通り、整流器を通って電気浸透脱水機から出力される電圧値が入力部１０を介して入力される。
【００２２】
フィルタ部２０は、入力部１０を介して入力される整流器の出力電圧値をフィルタリングする。フィルタ部２０はアナログフィルタを利用して出力電圧値をフィルタリングする。
【００２３】
増幅器３０は、フィルタ部２０を通った電圧値を増幅させる。増幅器３０は本実施例による遮断装置１００の回路の設定値に合うように増幅させる。
【００２４】
比較機４０は、まず設定電圧値を入力される。設定電圧値はユーザが任意に設定してもよい値であって、電気浸透脱水機に使用される静電圧と１〜２Ｖの差をおいて設定することが好ましい。小さい差をおいて設定して本実施例による電源遮断装置１００が敏感に作動するようにすることで、短絡によって一時的に電圧が落ちる現象を瞬間的に感知して電源を遮断する効果がある。
【００２５】
比較機４０は、入力される設定電圧値と増幅器３０を介して増幅された電圧値を比較する。
【００２６】
遅延回路部５０は、比較機４０の比較値に応じて整流器の動作感度を調節する。外部のノイズによる誤動作と波形の急激な変化などを短絡と認知して電源が遮断される可能性があるため、遅延回路部５０が整流器の動作を調節することで電源を遮断するか否かをユーザの意図に合わせて自由に設定することができる。
【００２７】
出力部６０は、増幅された電圧値が設定電圧値より小さければ整流器を停止させる信号を出力する。出力部６０は電源遮断信号を出力する際、アラムを一緒に発生させてもよい。
【００２８】
このような本実施例による静電圧を利用した電気浸透脱水機の電源遮断装置１００の回路図が図２に開示される。図２は、本発明による静電圧を利用した電気浸透脱水機の電源遮断装置の回路図である。
【００２９】
図２は電源遮断装置１００の一例であって、このような形態に限ることはない。
【００３０】
一方、本実施例による静電圧を利用した電気浸透脱水機の電源遮断装置は上述した形態に限らず、本発明の技術的中心思想を逸脱しない範囲内で多様に変形実施されてもよい。これは、本願発明の属する技術分野に携わる者であれば用意に理解できるはずである。
【図１】
2015525556.tif 000003
【図２】
2015525556.tif 000004
【国際調査報告】
2015525556.tif 000005
2015525556.tif 000006
2015525556.tif 000007
2015525556.tif 000008